(57)【要約】【課題】原音が損なわれる事態を極力回避しつつ、かつ状況に応じて、臨場感を向上させることが容易となる音響出力装置を提供する。【解決手段】取得された音響情報に基づいて音響の出力を実行する、音響出力装置において、前記音響の出力と並行して、不可聴な低域周波数の空気振動である低域音を発生させる、低域音発生手段と、前記低域音の発生のＯＮ／ＯＦＦを切替える、切替部を備えた構成の音響出力装置とする。【選択図】図１
2008182498.tif 000002
【特許請求の範囲】
【請求項１】
光ディスクに記録された情報を取得する、光ディスク読取部と、
該光ディスから取得された音響情報に基づいて音響を出力する、音響出力部と、
前記音響の出力と並行して、不可聴な低域周波数の空気振動である低域音を発生させる、低域音発生部と、
前記低域音の発生のＯＮ／ＯＦＦを切替える、切替部と、
前記音響における所定周波数以下の成分の音圧レベルを検出する、検出部と、
前記切替部における処理の内容を、少なくとも第１処理および第２処理から選択的に設定する、処理設定部と、を備え、
前記第１処理は、
ユーザによる指示に基づいて、前記切替を実行する処理であり、
前記第２処理は、
前記検出部の検出結果に基づいて、前記切替を実行する処理であること
を特徴とする光ディスク再生装置。
【請求項２】
取得された音響情報に基づいて音響の出力を実行する、音響出力装置において、
前記音響の出力と並行して、不可聴な低域周波数の空気振動である低域音を発生させる、低域音発生手段と、
前記低域音の発生のＯＮ／ＯＦＦを切替える、切替部と、
を備えたことを特徴とする音響出力装置。
【請求項３】
前記切替部は、
ユーザによる指示に基づいて、前記切替を実行することを特徴とする請求項２に記載の音響出力装置。
【請求項４】
前記音響における所定周波数以下の成分の音圧レベルを検出する、検出部を備え、
前記切替部は、
該検出部における検出結果に基づいて、前記切替を実行することを特徴とする請求項２または請求項３に記載の音響出力装置。
【請求項５】
前記低域音発生手段は、
前記音響の波形と前記低域音の波形とを合成し、該合成された波形の空気振動を発生させることにより、前記低域音を発生させることを特徴とする請求項２から請求項４の何れかに記載の音響出力装置。
【請求項６】
与えられた音響情報に基づいて音響の出力を実行する、音響出力装置において、
前記音響の出力と並行して、所定周波数の空気振動を発生する、空気振動発生手段を備えたことを特徴とする音響出力装置。
【請求項７】
光ディスクに記録された情報を取得する光ディスク読取部と、
請求項２から請求項６の何れかに記載の音響出力装置と、を備え、
該光ディスクから取得された前記音響情報に基づいて、音響の出力を実行することを特徴とする光ディスク再生装置。
【発明の詳細な説明】
【技術分野】
【０００１】
本発明は、例えばＤＶＤ再生装置などに用いられる、音響出力装置に関する。
【背景技術】
【０００２】
従来、ＤＶＤ再生装置のように、コンテンツ情報に係る映像や音響を出力する装置が広く使用されている。またコンテンツ情報についても、ユーザの要求に応じるべく、種々のジャンルに渡って数多くのものが創作されている。
【０００３】
【特許文献１】特開平１１−０５２４９０号公報
【特許文献２】特開２００６−２８７４８３号公報
【特許文献３】特開平１０−２９０４０５号公報
【特許文献４】特開２００２−０７８０６６号公報
【特許文献５】特開２００３−２６５７０９号公報
【発明の開示】
【発明が解決しようとする課題】
【０００４】
ＤＶＤ再生装置などにより、例えばホラーやサスペンスといったジャンルのコンテンツを視聴するにあたって、多くの視聴者は、できるだけスリル感や臨場感を向上させたいと考える。このようなニーズに対し、上記の特許文献などには、ユーザと接触する座椅子等に低周波振動を与えたり、体感装置により空気を振動させたりして、ユーザにより強い臨場感を与えるものが開示されている。
【０００５】
しかしながら、ユーザと接触する物体に振動を与えるものでは、そのような物体が予め準備されている必要があり、装置の小型化や低廉化を阻害するおそれがある。またこのような振動を、状況を問わずに発生させるものでは、例えば軽快な内容のコンテンツを視聴するにあたっては雰囲気を損ねてしまい、逆効果となるおそれがある。なお、可聴周波数の空気振動を別途発生させるようにすると、コンテンツの音響（原音）に対するノイズとなり、原音が損なわれるおそれがある。
【０００６】
そこで本発明は、上記の問題に鑑みて、原音が損なわれる事態を極力回避しつつ、かつ状況に応じて、臨場感を向上させることが容易となる音響出力装置の提供をその目的とする。
【課題を解決するための手段】
【０００７】
上記目的を達成するため、本発明による音響出力装置は、取得された音響情報に基づいて音響の出力を実行する、音響出力装置において、前記音響の出力と並行して、不可聴な低域周波数の空気振動である低域音を発生させる、低域音発生手段と、前記低域音の発生のＯＮ／ＯＦＦを切替える、切替部と、を備えた構成（第２の構成）とする。
【０００８】
本構成によれば、音響の出力と並行して低域音を出力することができるため、低域音（空気振動）がユーザの感覚を刺激し、より臨場感を向上させることが可能となる。また低域音の周波数は不可聴領域（概ね２０Ｈｚ以下）であるから、低域音が出力されても人間の聴覚に影響を与えず、原音が損なわれることが防止される。更に切替部を備えているから、臨場感向上のための低域音出力を、状況に応じたものとすることが容易となる。
【０００９】
また上記第２の構成において、前記切替部は、ユーザによる指示に基づいて、前記切替を実行する構成（第３の構成）としてもよい。本構成によれば、ユーザの意向に沿ったタイミングで、臨場感を向上させることができるため、利便性の高い音響出力装置とすることが可能となる。
【００１０】
また上記第２または第３の構成において、前記音響における所定周波数以下の成分の音圧レベルを検出する、検出部を備え、前記切替部は、該検出部における検出結果に基づいて、前記切替を実行する構成（第４の構成）としてもよい。
【００１１】
本構成によれば、音響における低周波成分（通常、低音として聞こえる）の音圧レベルの状況に応じて、臨場感を向上させることが可能となる。そのため、例えば低音が出力されているタイミングでのみ臨場感を向上させるといった処理などを、自動的に行わせることが容易となり、利便性の高い音響出力装置とすることが可能となる。
【００１２】
また上記第２から第４の何れかの構成において、前記低域音発生手段は、前記音響の波形と前記低域音の波形とを合成し、該合成された波形の空気振動を発生させることにより、前記低域音を発生させる構成（第５の構成）としてもよい。
【００１３】
本構成によれば、スピーカ等の振動発生装置に、合成された波形の空気振動を生じさせることで、音響と低域音の双方の出力を実現することが可能となる。そのため、音響を出力するための振動発生装置と、低域音を出力するための振動発生装置とを別個に備えるものに比べて、回路の簡略化や製品コストの低減を容易に実現することが可能となる。
【００１４】
なお、与えられた音響情報に基づいて音響の出力を実行する、音響出力装置において、前記音響の出力と並行して、所定周波数の空気振動を発生する、空気振動発生手段を備えた構成（第６の構成）の音響出力装置であれば、当該所定周波数を、人にとって殆ど聞こえない程度に小さいものとすることで、上記第２の構成とほぼ同等の効果が得られる。
【００１５】
また、光ディスクに記録された情報を取得する光ディスク読取部と、上記第２から第６の何れかの構成に係る音響出力装置と、を備え、該光ディスクから取得された前記音響情報に基づいて、音響の出力を実行する構成（第７の構成）の光ディスク再生装置であれば、上述した何れかの構成に係る利点を享受し得る、光ディスク再生装置とすることができる。
【００１６】
なお、光ディスクに記録された情報を取得する、光ディスク読取部と、該光ディスから取得された音響情報に基づいて音響を出力する、音響出力部と、前記音響の出力と並行して、不可聴な低域周波数の空気振動である低域音を発生させる、低域音発生部と、前記低域音の発生のＯＮ／ＯＦＦを切替える、切替部と、前記音響における所定周波数以下の成分の音圧レベルを検出する、検出部と、前記切替部における処理の内容を、少なくとも第１処理および第２処理から選択的に設定する、処理設定部と、を備え、前記第１処理は、ユーザによる指示に基づいて、前記切替を実行する処理であり、前記第２処理は、前記検出部の検出結果に基づいて、前記切替を実行する処理である構成（第１の構成）の光ディスク再生装置であれば、上述した各構成に係る利点を享受し得る光ディスク再生装置とすることができる。
【発明の効果】
【００１７】
本発明の音響出力装置によれば、音響の出力と並行して低域音を出力することができるため、低域音（空気振動）がユーザの感覚を刺激し、より臨場感を向上させることが可能となる。また低域音の周波数は不可聴領域であるから、低域音が出力されても人間の聴覚に影響を与えず、原音が損なわれることが防止される。更に切替部を備えているから、臨場感向上のための低域音出力を、状況に応じたものとすることが容易となる。
【発明を実施するための最良の形態】
【００１８】
本発明の実施形態について、実施例１および実施例２を挙げて、以下に説明する。
【００１９】
［実施例１］
まず実施例１として、図１に示す構成の光ディスク再生装置を挙げて説明する。図１に示すように光ディスク再生装置１は、ディスク情報読取部１１、制御部１２、音響信号生成部１３、低域音信号生成部１４、音響スピーカ１５、低域音スピーカ１６、操作部１７、および低周波検出部１８などを備えている。また図示していないが、光ディスクに記録されている映像情報に基づいて映像出力を行う、映像出力装置などをも備えている。
【００２０】
ディスク情報読取部１１は、光ピックアップ装置などを有しており、セッティングされている光ディスク（ＣＤやＤＶＤ等）２から、そこに記録されている情報を読み取る。なお光ディスク２には、少なくとも音響出力に用いられる音響情報（例えばＭＰ３形式のデータ）が記録されているものとする。
【００２１】
制御部１２は、光ディスク再生装置１においてなされる各種処理を制御するものであり、音響出力処理や、後述する低域音発生処理の制御も実行する。これらの制御の内容については、改めて説明する。
【００２２】
音響信号生成部１３は、制御部１２の指示に応じ、ディスク情報読取部１１から得られた音響情報に基づいて音響信号を生成する。この音響信号は、音響情報をソースとする音響を、音響スピーカ１５に出力させるための信号である。
【００２３】
低域音信号生成部１４は、制御部１２の指示に応じて、低域音信号を生成する。この低域音信号は、不可聴な低域周波数（概ね２０Ｈｚ以下）の空気振動（以下、「低域音」と称す）を、低域音スピーカ１６によって発生させるための信号である。低域音としては、例えば周波数が１０Ｈｚに固定されたものなど、種々のものが採用され得る。
【００２４】
音響スピーカ１５は、伝送された音響信号に基づいて音響を出力する。また低域音スピーカ１６は、伝送された低域音信号に基づいて、低域音を発生させる。なお低域音スピーカ１６は、不可聴な低域周波数の空気振動を極力効率良く発生できるように構成されていることが望ましい。
【００２５】
低周波検出部１８は、光ディスクから読取られた音響情報について、その音響をサンプリングし、所定の閾値周波数以下の成分が存在しているか否かを検出する。例えば閾値周波数が１００Ｈｚである場合、６０Ｈｚや９０Ｈｚなどの周波数成分が、音響に含まれているか否かを検出する。なお当該検出にあたり、不可聴な低周波領域の周波数成分については、考慮しないこととする。
【００２６】
またこの検出は、閾値周波数以下の成分が全く含まれていない場合にのみ「含まれていない」とするようにしても良いが、その他に、閾値周波数以下の何れの成分の音圧レベルも所定の基準値を超えていなければ「含まれていない」とみなすようにしてもよい。例えば図２に示すグラフ（縦軸が音圧レベル、横軸が周波数を示す）において、実線で示したようなものについては、閾値周波数以下の何れの成分の音圧レベルも基準値を超えていないために、閾値周波数以下の成分が含まれていないとみなし、逆に、破線で示したようなものについては、閾値周波数以下の成分が含まれているとみなす。かかる検出を通じて、音響において比較的低い音が強調されているか否かが判断可能となる。なおここでの閾値周波数や基準値は、任意に変更できるようにしていてもよい。
【００２７】
操作部１７は、光ディスク再生装置１に各種指示を与えることを可能とする、ユーザインターフェースとして機能する。操作部１７の具体的な構成例を、図３に示す。本図のように操作部１７は、現在の設定内容や処理の進行状況等を表示するディスプレイ２１や、各種の押しボタンスイッチ２２等を備えている。なお表示部１７の構成としては、他にＯＳＤ［on-screen display］等を採用してもよい。
【００２８】
なお押しボタンスイッチ２２は、光ディスク再生装置１自体の電源のＯＮ／ＯＦＦを切り替えるための「電源」、光ディスク２の再生（音響出力）の開始／停止を切替えるための「再生」、低域音発生のタイミングを手動設定または自動設定に切替えるための「低域音発生モード」、音響出力における音量を調整するための「音量」、低域音の音圧の大きさを調整するための「低域音の音圧」、および、低域音発生モードを「手動」とした場合において低域音発生のＯＮ／ＯＦＦを切替るための「低域音ＯＮ／ＯＦＦ」の各項目に割り当てられている。
【００２９】
以上の構成により、光ディスク再生装置１は、光ディスク２から取得された音響情報に基づいて音響出力を行うとともに、これに並行して低域音を発生させることが可能である。次に音響出力および低域音発生に関する処理について、図４のフローチャートを参照しながら以下に説明する。
【００３０】
音響情報が記録された光ディスク２がセッティングされた後、「（再生）開始」ボタンが押下されると、光ディスクの音響情報が読み出され、これを用いた音響出力がスタートする。このとき並行して、まず低域音の出力処理パターンが、「手動モード」と「自動モード」のうちの何れに設定されているかが判断される（ステップＳ１１）。なおこの双方のモードは、操作部１７における「低域音発生モード」に係る押しボタン２２の押下状況（何れが直前に押下されていたか）によって設定されている。
【００３１】
ステップＳ１１において、「手動モード」が設定されていると判断された場合（ステップＳ１１の「手動」）は、次に低域音の発生について、ＯＮ（有り）とＯＦＦ（無し）の何れに設定されているかを判断する（ステップＳ１２）。なおこの双方は、操作部１７における「低域音ＯＮ／ＯＦＦ」に係る押しボタン２２の押下状況（２つのうちの何れが直前に押下されていたか）によって設定されている。
【００３２】
ステップＳ１２の判断の結果、「ＯＮ」に設定されていた場合は（ステップＳ１２のＯＮ）、低域音信号生成部１４および低域音スピーカ１６を通じて、低域音の発生・出力処理が開始される（ステップＳ１３）。なお現時点で、既に低域音の出力処理がなされている場合には、そのまま出力を継続させる。
【００３３】
一方、ステップＳ１２の判断の結果、「ＯＦＦ」に設定されていた場合は（ステップＳ１２のＯＦＦ）、低域音の発生処理を停止させる（ステップＳ１４）。なお現時点で低域音の発生処理がなされていないときは、そのままの状態を保つ。
【００３４】
そしてステップＳ１３またはＳ１４の処理の後、音響出力が終了しているか否かが判断される（ステップＳ１５）。なお音響出力は、「（再生）停止」の押しボタン２２が押下されたときや、音響情報が最後まで再生し尽くされたときなどに終了する。かかる判断の結果、未だ出力が終了していない場合には、ステップＳ１１の処理に戻る。
【００３５】
またステップＳ１１において、「自動モード」が設定されていると判断された場合は（ステップＳ１１の「自動」）、次に、低周波検出部１８における検出結果に基づいて、これから出力がなされるタイミングの音響に、閾値周波数以下の成分が含まれているか否かを判断する（ステップＳ１６）。なお、この判断の対象とする音響としては、種々のタイミングのものを採用することが可能であるが、低域音の出力タイミングをより現状に即したもの（低音の音響が出力されている時に合わせて、低域音が出力される）とするため、これから出力されるタイミングのものであることが望ましい。
【００３６】
そしてステップＳ１６の判断の結果、「含まれている」と判断された場合は（ステップＳ１６のＹ）、低域音信号生成部１４および低域音スピーカ１６を通じて、低域音の発生・出力処理を開始させる（ステップＳ１７）。なお現時点で低域音の出力処理がなされているときは、そのまま出力を継続させる。
【００３７】
一方、ステップＳ１６の判断の結果、「含まれていない」と判断された場合は（ステップＳ１６のＮ）、低域音の発生処理を停止させる（ステップＳ１８）。なお現時点で低域音の発生処理がなされていないときは、そのままの状態を保つ。
【００３８】
そしてステップＳ１７またはＳ１８の処理の後、音響出力が終了したか否かを判断する（ステップＳ１９）。かかる判断の結果、未だ出力が終了していない場合には、ステップＳ１１の処理に戻る。またステップＳ１５もしくはＳ１９の処理により、音響出力が終了したと判断された場合には、低域音の発生処理も停止させる。
【００３９】
以上に説明した一連の処理が実行されることによって、音響再生処理に並行して、低域音を適切に出力させることが可能となる。例えば、ユーザが低域音の出力状況を手動で制御しようとする場合には、低域音発生モードを「手動」に設定した上で、低域音ＯＮ／ＯＦＦに係る「ＯＮ」または「ＯＦＦ」の押しボタンスイッチ２２を適宜押下することで、この要求に応じることができる。
【００４０】
一方、音響において比較的低音が強調されている場合にのみ、自動的に低域音を出力させようとする場合には、低域音発生モードを「自動」に設定することで、この要求に応じることができる。なお低音が強調される音響は、ホラーやサスペンス等のジャンルにおいて、恐怖感を煽るシーンを表現する場合などに多用される傾向にある。そのため、このような音響が出力されている場合には、臨場感の向上がユーザに望まれるものと考えられる。
【００４１】
［実施例２］
次に実施例２として、図５に示す構成の光ディスク再生装置を挙げて説明する。なお本実施例は、合成音信号生成部を備え、音響と低域音とを共通のスピーカから出力させるようにした点等を除き、基本的に実施例１と同様の構成であるため、重複した説明を省略する。
【００４２】
当該光ディスク再生装置１は、実施例１の場合と同様に、ディスク情報読取部１１、制御部１２、音響スピーカ１５、操作部１７、および低周波検出部１８を備えている。そして更に、合成音信号生成部１９をも備えている。
【００４３】
合成音信号生成部１９は、音響信号生成部１３と同様に、ディスク情報読取部１１から得られた音響情報に基づいて音響信号を生成する機能を有している。そして更に、音響情報における音響の波形と低域音の波形とが合成された波形の空気振動（以下、「合成音」と称す）を音響スピーカ１５に出力させるための、合成音信号を生成する機能をも有している。
【００４４】
音響スピーカ１５は、合成音信号生成部１９から音響信号または合成音信号が伝送されると、これに応じた音響もしくは合成音を出力する。そのため、音響信号が伝送されているときには、通常のスピーカと同様に音響出力を行う一方で、合成音信号が伝送されているときには、音響出力に並行した低域音の出力をも行う。
【００４５】
また制御部１２は、基本的に実施例１のものと同様の制御を実行するが、低域音を出力させる際には、合成音信号生成部１９に合成音を生成させる点で相違する。実施例１では、音響信号とは独立した低域音信号を低域音信号生成部１４に生成させ、音響スピーカ１５とは別個に備えられた低域音スピーカ１６を通じて低域音を出力させていた。
【００４６】
しかし本実施例では、合成音信号を生成させ、合成音を音響スピーカ１５から出力させることにより、低域音をも出力させるものとなっている。なお低域音を出力せず音響のみを出力する場合には、合成音信号生成部１９は音響信号生成部１３と同様の機能（音響信号を生成して音響スピーカ１５に出力する）を果たす。
【００４７】
上述の通り本実施例の光ディスク再生装置１では、音響の出力と低域音の出力を、共通の装置（音響スピーカ１５）により実現させる構成となっている。そのため、双方の出力を互いに別個の装置に行わせるものに比べて、回路の簡略化や製品コストの低減などを容易に実現することが可能となっている。
【００４８】
［まとめ］
以上のように、各実施例に係る光ディスク再生装置（音響出力装置）は、光ディスクから取得された音響情報に基づいて音響の出力を実行するものであって、更に、音響の出力と並行して、不可聴な低域周波数の空気振動である低域音を発生させる手段と、この低域音の発生のＯＮ／ＯＦＦを切替える手段とを備えた構成となっている。
【００４９】
その結果、音響の出力と並行して低域音を出力することができるため、低域音（空気振動）がユーザの感覚を刺激し、より臨場感を向上させることが可能となっている。また低域音の周波数は不可聴領域であるから、低域音が出力されても人間の聴覚に影響を与えず、原音が損なわれることを防止できるものとなっている。更に低域音の発生のＯＮ／ＯＦＦを切替える手段を備えているから、臨場感向上のための低域音出力を、状況に応じたものとすることが容易となっている。
【００５０】
また本発明は上記の各実施形態に限定されず、本発明の趣旨を逸脱しない範囲で、種々の変更が可能である。例えば、音響出力装置の一例として光ディスク再生装置を挙げて説明したが、何らかの音響情報に基づいて音響の出力を行う種々の装置に対して、本発明の適用が可能である。
【産業上の利用可能性】
【００５１】
本発明は、例えばＤＶＤ再生装置の分野において利用可能である。
【図面の簡単な説明】
【００５２】
【図１】本発明の実施例１に係る、光ディスク再生装置の構成図である。
【図２】本発明の実施形態における、低周波検出を説明するための説明図である。
【図３】本発明の実施形態に係る、操作部の構成図である。
【図４】本発明の実施形態に係る、音響再生処理の流れ図である。
【図５】本発明の実施例２に係る、光ディスク再生装置の構成図である。
【符号の説明】
【００５３】
１    光ディスク再生装置
２    光ディスク
１１    ディスク情報読取部
１２    制御部
１３    音響信号生成部
１４    低域音信号生成部
１５    音響スピーカ
１６    低域音スピーカ
１７    操作部
１８    低周波検出部（検出部）
１９    合成音信号生成部
２１    ディスプレイ
２２    押しボタンスイッチ
【図１】
2008182498.tif 000003
【図２】
2008182498.tif 000004
【図３】
2008182498.tif 000005
【図４】
2008182498.tif 000006
【図５】
2008182498.tif 000007